(57)【要約】  【課題】  コンバージョンレンズを着脱可能にし得るビデオカメラ等の撮像装置において、コンバージョンレンズを使用している場合にもレンズフードをそのまま使用できるようにするとともに、レンズフードによる入射光の絞り込みの機能を維持できるようにする。  【解決手段】  レンズフード５を基部３５と筒状部３６とから構成し、これらを互いに着脱可能に組立てるようにするとともに、筒状部３６の前端側に矩形の開口３８を有する遮光板３７を設けるようにし、コンバージョンレンズ６を用いるときには遮光板３７が前端側に位置するように筒状部３６を装着し、これに対してコンバージョンレンズ６を使用しない場合にはこの筒状部３６をひっくり返して遮光板３７が後側に位置するようにして装着する。【選択図】  図３
2005121714.tif 000002
【特許請求の範囲】
【請求項１】
光学系の前方にレンズフードを取付けるようにした撮像装置において、
前記レンズフードを取付け側の基部と前方側の筒状部とから構成し、前記基部と前記筒状部とが互いに着脱可能に結合され、
前記光学系の前方に別のレンズを取付ける場合に前記別のレンズが前記レンズフードの内側に収納されることを特徴とする撮像装置。
【請求項２】
前記レンズフードの筒状部の内側に遮光板が設けられ、該遮光板の開口によって入射光を絞り込むことを特徴とする請求項１に記載の撮像装置。
【請求項３】
前記レンズフードの筒状部と基部とがバヨネット爪によって互いに着脱可能に結合されることを特徴とする請求項１に記載の撮像装置。
【請求項４】
前記レンズフードの筒状部の遮光板の開口に着脱可能にキャップが装着されることを特徴とする請求項２に記載の撮像装置。
【請求項５】
前記別のレンズが撮像角度を広げるワイドコンバージョンレンズであることを特徴とする請求項１に記載の撮像装置。
【請求項６】
前記遮光板が前記筒状部の内側において光軸方向に偏倚して設けられるとともに、前記遮光板が光学系に近接する姿勢と離間する姿勢の何れでも前記筒状部が前記基部と着脱可能に結合可能であって、前記コンバージョンレンズが前記レンズフードの内側に収納された状態で前記光学系の前方に取付られる場合には前記遮光板が光学系から離間する姿勢で前記筒状部が前記基部に結合されることを特徴とする請求項５に記載の撮像装置。
【請求項７】
前記遮光板が前記筒状部の内側において光軸方向に偏倚して設けられるとともに、前記遮光板が光学系に近接する姿勢と離間する姿勢の何れでも前記筒状部が前記基部と着脱可能に結合可能であって、前記コンバージョンレンズが取付けられない場合には、前記遮光板が光学系に近接する姿勢で前記筒状部が前記基部と結合されることを特徴とする請求項５に記載の撮像装置。
【発明の詳細な説明】
【技術分野】
【０００１】
本発明は撮像装置に係り、とくに光学系の前方にレンズフードを取付けるようにした撮像装置に関する。
【背景技術】
【０００２】
ビデオカメラの撮影時に被写体に点光源を入れたときに撮影レンズの空気・ガラスの接合面等で反射する非結像光が撮像画面に到達して不規則な光斑となって表われ、フレアが発生し、撮像に支障を来すことになる。
【０００３】
このためにビデオカメラの撮影レンズの前方にレンズフードを取付けて撮影時のフレアの発生を防止するようにしているが、このレンズフードの周面が前方へ長い場合には、角部が欠けた撮像画面になるので、レンズフードは短寸のものを使用していた。
【０００４】
このようにビデオカメラの撮影において、撮影レンズの前面側に短寸のレンズフードを取付けた場合は、角部が欠けることのない撮像画面を得ることができるが撮影レンズに対する受光量が多く、このため被写体側に点光源が入り易く、撮像画面にフレアが発生する不具合があった。
【０００５】
そこで例えば特開平９−１８７５７号公報に開示されているように、ビデオカメラの撮影レンズの前面側にレンズフードと遮光板とを備え、遮光板により入射光を絞り込み、被写体側の点光源からの光量を低減させて撮像画面のフレアの発生を防止し、これによって撮像画面のフレアの発生を防止することが提案されている。
【０００６】
一方で撮像の画角を広げるためにコンバージョンレンズを取付けることがある。コンバージョンレンズは撮影レンズの前方側に取付けられる補助光学系であって、このような補助光学系を用いる場合には、レンズフードを取外し、レンズフードの取付け位置にコンバージョンレンズを取付けなればならなかった。従ってレンズフードの遮光板によって入射光を絞り込むことによるフレアの発生の防止の機能は期待できず、さらにはレンズフードを取外す操作に手間がかかる欠点があった。
【０００７】
特許第２５００８９２号公報には、撮影レンズの前方にこの撮影レンズの写角に対応する開口部を有するフード枠体をカメラ本体と一体に設けたカメラに、補助光学系を取付けるための補助光学系装着用アダプタであって、補助光学系を着脱自在に装着し得るマウント部と、フード枠体の開口部に挿脱自在に嵌合する位置決め枠と、開口部周縁の一側に係着可能な固定爪と、開口部の中心に関して他側に係着自在であり、補助光学系を装着することにより該補助光学系の鏡筒部に押圧されて係着方向に変位する可動爪とを設けた補助光学系装着用アダプタが開示されている。
【０００８】
このようなアダプタを用いることによって、フード枠体の前方側にコンバージョンレンズ等の補助光学系を取付けることが可能になり、フード枠体を取外す必要がない。ところがコンバージョンレンズ等の補助光学系を使用する場合には、コンバージョンレンズで入射光が大きく屈折するために、フード枠体による入射光の絞り込みの効果が期待できない。すなわちレンズフードの遮光板による入射光の絞り込みの効果が機能しなくなる欠点がある。
【０００９】
【特許文献１】特開平９−１８７５７号公報
【特許文献２】特許第２５００８９２号公報
【発明の開示】
【発明が解決しようとする課題】
【００１０】
本願発明の課題は、補助光学系を通常の光学系の前方に装着する場合に、レンズフードを取外す必要がないようにした撮像装置を提供することである。
【００１１】
本願発明の別の課題は、補助光学系を使う場合にレンズフードを取外す煩雑な操作を不要にするようにした撮像装置を提供することである。
【００１２】
本願発明の別の課題は、補助光学系を使う場合にもレンズフードの遮光板による入射光の絞り込みを可能にし、これによって撮像画面にフレアの発生を防止するようにした撮像装置を提供することである。
【００１３】
本願発明の別の課題は、補助光学系を用いる場合と用いない場合とで、レンズフードの遮光板の位置を変更できるようにしたレンズフードを有する撮像装置を提供することである。
【００１４】
本願発明の上記の課題および別の課題は、以下に述べる発明の技術思想および実施の形態によって明らかにされる。
【課題を解決するための手段】
【００１５】
本願の主要な発明は、光学系の前方にレンズフードを取付けるようにした撮像装置において、
前記レンズフードを取付け側の基部と前方側の筒状部とから構成し、前記基部と前記筒状部とが互いに着脱可能に結合され、
前記光学系の前方に別のレンズを取付ける場合に前記別のレンズが前記レンズフードの内側に収納されることを特徴とする撮像装置に関するものである。
【００１６】
ここで前記レンズフードの筒状部の内側に遮光板が設けられ、該遮光板の開口によって入射光を絞り込むことが好ましい。また前記レンズフードの筒状部と基部とがバヨネット爪によって互いに着脱可能に結合されることが好ましい。また前記レンズフードの筒状部の遮光板の開口に着脱可能にキャップが装着されることが好ましい。また前記別のレンズが撮像角度を広げるワイドコンバージョンレンズであることが好ましい。
【００１７】
さらには前記遮光板が前記筒状部の内側において光軸方向に偏倚して設けられるとともに、前記遮光板が光学系に近接する姿勢と離間する姿勢の何れでも前記筒状部が前記基部と着脱可能に結合可能であって、前記コンバージョンレンズが前記レンズフードの内側に収納された状態で前記光学系の前方に取付られる場合には前記遮光板が光学系から離間する姿勢で前記筒状部が前記基部に結合されることが好ましい。また前記遮光板が前記筒状部の内側において光軸方向に偏倚して設けられるとともに、前記遮光板が光学系に近接する姿勢と離間する姿勢の何れでも前記筒状部が前記基部と着脱可能に結合可能であって、前記コンバージョンレンズが取付けられない場合には、前記遮光板が光学系に近接する姿勢で前記筒状部が前記基部と結合されることが好ましい。
【００１８】
従来の撮像装置においては遮光機能を優先し、レンズフードを使用しているときにコンバージョンレンズを使用する場合に、レンズフードを取外して上記のコンバージョンレンズを使用しなければならなかった。従って当然レンズフード効果は期待できず、フードを取外す手間もかかっていた。そこで本願の好ましい態様においては、レンズフードの一部を着脱可能な構造とし、カメラのレンズフードを装着したままでコンバージョンレンズを装着して使用できるようにするものであって、フードの一部を着脱反転して装着することにより、コンバージョンレンズ装着の場合と無い場合の両方に遮光効果が働くようにしたものである。
【００１９】
このような態様によれば、コンバージョンレンズを使用する場合でも、レンズフードを外さずにフードの一部を着脱するだけでコンバージョンレンズをレンズフード内に収納する形態を採ることができ、そのままでコンバージョンレンズの使用が可能になる。また着脱部を反転装着することで、遮光効果も得られるようになる。またコンバージョンレンズを使用しない場合においても、着脱した部分を反転し、元の状態にして装着することで、通常のレンズフードとしての遮光効果が得られる。
【発明の効果】
【００２０】
本願の主要な発明は、光学系の前方にレンズフードを取付けるようにした撮像装置において、レンズフードを取付け側の基部と前方側の筒状部とから構成し、基部と筒状部とが互いに着脱可能に結合され、光学系の前方に別のレンズを取付ける場合にこの別のレンズがレンズフードの内側に収納されるようにしたものである。
【００２１】
従ってこのような撮像装置によれば、レンズフードの基部の内側に別のレンズが収納されるようになるために、この別のレンズを取付ける際にレンズフードの基部が取付けられた状態で上記別のレンズを取付けるとともに、その後にレンズフードの筒状部を基部に結合すればよく、別のレンズを使用する際においてもレンズフードによる遮光効果が期待でき、また別のレンズを取付ける際にフードを取外す面倒な操作も必要でなくなる。
【発明を実施するための最良の形態】
【００２２】
以下本発明の実施の形態を図１〜図３を参照して説明する。図１および図２は本実施の形態のカメラ一体型ビデオテープレコーダ１の外観を示しており、その本体部２内にはＶＴＲ機構および電源電池等が内蔵されて収納されており、前面側には撮影レンズ３が取付けられ、後半部側には後方へ向けてビューファインダ４が起伏可能に備えられている。
【００２３】
このビデオカメラ１の光学系を構成する撮影レンズ３の前方には図３に示すアダプタ４を介してレンズフード５が取付けられるとともに、さらにレンズフード５内には着脱自在にコンバージョンレンズ６が取付けられるようになっている。レンズフード５およびコンバージョンレンズ６の構成については後に詳述する。
【００２４】
ビデオカメラ１の本体２の後面側には、電池収納部を開閉する蓋８が備えられている。この蓋８の外面側には液晶表示パネル９が取付けられており、その下側にはプログラムＡＥボタン１０、シャッタスピードボタン１１、ホワイトバランスボタン１２、録音レベルボタン１３が配設されており、蓋８の下側の部分には蓋開放スイッチ１４、ゼロセットメモリボタン１５、セルフタイマボタン１６、ワンプッシュホワイトバランスボタン１７、ＤＶ端子１８が配設され、本体２の後面側の一側部には電源スイッチ１９、オートロックスイッチ２０、およびコントロールスイッチ２１が配設されている。
【００２５】
また本体２のテープカセットの装填部を開閉する蓋は主蓋２２と副蓋２３の２枚で構成されて二段階の開閉動作、すなわち開放時は副蓋２３が開いた後に主蓋２２が開き、閉塞時は主蓋２２が閉じた後に副蓋２３が閉じるように構成されており、副蓋２３にはＶＴＲ機構のテープ走行操作部２４が備えられている。そして本体２の前半部の上面側には撮影レンズ３の光軸の上方に位置して前後方向に取手２５を取付けており、この取手２５の前端側にステレオマイク２６がホルダ２７により撮影レンズ３の光軸に沿って前方へ向けて取付けられ、後端面に後部リモコン受光部２８が設けられており、ステレオマイク２６のホルダ２７の前面には前部リモコン受光部２９が設けられる。
【００２６】
次にこのようなビデオカメラの本体１の光学系を構成する撮像レンズ３の前端側に取付けられるレンズフード５について説明すると、レンズフード５はとくに図４に示すようにアダプタ４を介して光学系３の前端部に取付けられる基部３５と、この基部３５に着脱自在に結合される筒状部３６とから構成される。筒状部３６には遮光板３７が設けられるとともに、この遮光板３７の矩形の開口３８によって入射光を絞るようになっている。
【００２７】
次に上記レンズフード５の基部３５の構成について説明すると、基部３５は図５〜図７に示すようにその基端側に円形の開口４１が形成され、この円形の開口４１が上記光学系３の前端側の外周部に嵌合されるようになっている。すなわち円形の開口４１の内周面には係止溝４２が形成されるとともに、この係止溝４２と連続する導入部４３が形成され、この導入部４３を通して係止溝４２内にアダプタ４の爪を導入することによって、アダプタ４を介して撮像レンズ３の前端部に基部３５が取付けられる。そして取付けられた状態で、基部３５は固定片４４によって撮像レンズ３の外周縁に固定されるようになっている。すなわち固定用ねじ４５をねじ込むことによって、固定片４４がこの基部３５の円形の開口４１を撮像レンズ３の外周面上に固定する。
【００２８】
基部３５の前端側であってその外周面上には周方向に沿って４箇所に突部４６が形成されるとともに、これらの突部４６にはそれぞれ係止用壁部４７が形成される。
【００２９】
次に上記レンズフード５の筒状部３６について説明すると、筒状部３６は図８〜図１０に示すように軸線方向に寸法の短い非円形の筒体から構成され、その一方の開口を閉塞するように遮光板３７が形成され、この遮光板３７の中央部にほぼ矩形の開口３８が形成される。またこの筒状部３６の外周面上にはその光軸方向の前側と後側とにそれぞれ係止爪５１、５２が形成される。係止爪５１は光軸方向において遮光板３７とは反対側に位置し、これに対して係止爪５２は光軸方向において遮光板３７の外周部に位置している。そしてこれらの係止爪５１、５２の内の何れかによって、筒状部３６が基部３５に結合される。すなわち係止爪５１、５２はバヨネット爪を構成し、バヨネット結合によって基部３５の突部４６の係止用壁部４７に係止される。
【００３０】
次にレンズフード５内に図３に示すように収納されるコンバージョンレンズ６について図１１および図１２により説明する。コンバージョンレンズ６は図１１に示すように筒体５５を備え、この筒体５５内に軸線方向に沿ってレンズ５６、５７、５８、５９を取付け固定している。そして筒体５５の基端側の部分であってその外周面上に結合用ねじ６０が設けられ、この結合用ねじ６０が上記撮像レンズ３の前端側の内周面の雌ねじに螺着されるようになっている。
【００３１】
次に上記レンズフード５の前端側の筒状部３６の遮光板３７の矩形の開口３８を閉塞するように取付けられるキャップ６２について説明する。キャップ６２はその上下に一対の係止片６３を備え、これらの係止片６３は内蔵するばねによってそれぞれ上下方向に突出するように取付けられている。そして係止片６３の上下面にそれぞれ設けられている係止溝６４が上記遮光板３７の矩形の開口３８の周縁部に係合されることによって、このキャップ６２が遮光板３７の矩形の開口３８を閉じた状態で係止されるようになっている。またキャップ６２にはストライプ６５が取付けられている。
【００３２】
ここでとくにレンズフード５の大きな特徴は、図１２に示すように画角を拡大するコンバージョンレンズ６を光学系３の前端側に結合した状態で、しかもレンズフード５を用いることができることである。すなわち撮像レンズ３の先端側にレンズフード５の基部３５を係止溝４２によって結合する。そしてこのような状態で、上記基部３５の前面側の開口部を通してコンバージョンレンズ６の筒体５５の基端側の結合用ねじ６０を撮像レンズ３の前端側の雌ねじにねじ込み固定する。これによって結合用ねじ６０を介してコンバージョンレンズ６が撮像レンズ３の前端部に結合固定される。
【００３３】
この後にさらにレンズフード５の筒状部３６を基部３５の前面側に結合する。このときにこの筒状部３６の遮光板３７が図１２に示すように前方側に位置するようにし、これによって遮光板３７がコンバージョンレンズ６と干渉しなくなる。このような状態において係止爪５１を基部３５の突部４６の係止用壁部４７にバヨネット結合されて係止されることによって、筒状部３６が基部３５に結合された状態でレンズフード５が組立てられる。
【００３４】
このときにコンバージョンレンズ６のすぐ前方に筒状部３６の遮光板３７の矩形の開口３８が位置し、この矩形の開口３８の遮光効果によって、点線６９で示すように入射光が絞られる。従ってビデオカメラの撮影時に被写体に点光源を入れたときに撮像レンズ３の空気・ガラスの接合面等で反射する非結像光が撮像画面に到達して不規則な光斑を生じ、フレアが発生して撮像に支障を来すフレアの発生が防止される。
【００３５】
コンバージョンレンズ６を使用しない場合には図１３および図１４に示すようにして使用する。すなわち撮像レンズ３の前端にまず基部３５を取付けるとともに、この基部３５に筒状部３６を取付ける。このときに筒状部３６の遮光板３７側の係止爪５２を基部３５の突部４６の係止用壁部４７に係合させて固定する。すると矩形の開口３８を有する遮光板３７が撮像レンズ３に近接する姿勢でこの筒状部３６が取付けられるようになる。そしてこのときの遮光板３７の矩形の開口３８による遮光は、図１４において点線７０で示す状態になり、これによって入射光が絞られてフレアの発生が回避される。
【００３６】
このように本実施の形態のビデオカメラ１は、レンズフード５を基部３５と筒状部３６とから構成し、これらを互いに着脱自在に結合するようにし、コンバージョンレンズ６をフード５の基部３５と筒状部３６の間に図１２に示すように組込めるようにすることによって、コンバージョンレンズ６を取付けているときでも外しているときでも、外形が同じで形良く使用することが可能になる。またコンバージョンレンズ６を使用する場合においても、レンズフード５を外すことなく、筒状部３６を着脱するだけでコンバージョンレンズ６をレンズフード５内に収納する形態が採り得るようになり、そのままでコンバージョンレンズ６の使用が可能になる。
【００３７】
また基部３５に対して筒状部３６の取付け姿勢を前後を逆に反転して装着することによって、図１２に示す状態と図１４に示す状態とを選択的に採ることによって、何れの場合にも遮光板３７の矩形の開口３８による遮光効果を得ることが可能になる。すなわちコンバージョンレンズ６を使用しない場合は、筒状部３６を図１４に示すように前後を反転して基部３５に結合することによって、通常のレンズフード５としての遮光効果が得られるようになる。
【００３８】
以上本願発明を図示の実施の形態によって説明したが、本願発明は上記実施の形態によって限定されることなく、本願発明の技術的思想の範囲内で各種の変更が可能である。例えば上記実施の形態は本体２内にＶＴＲを内蔵するビデオカメラに関するものであるが、本願発明はその他各種の撮像装置、例えばデジタルスチルカメラ等に適用することも可能である。
【産業上の利用可能性】
【００３９】
本願発明はビデオカメラやスチルカメラ等の各種の撮像装置に広く適用することが可能である。
【図面の簡単な説明】
【００４０】
【図１】ビデオカメラの全体の構成を示す外観斜視図である。
【００４１】
【図２】同ビデオカメラの後側から見た状態の外観斜視図である。
【００４２】
【図３】レンズフードの部分の光学系に対する取付け構造を示す分解斜視図である。
【００４３】
【図４】レンズフードの分解斜視図である。
【００４４】
【図５】レンズフードの基部の正面図である。
【００４５】
【図６】図５におけるＡ〜Ａ線断面矢視図である。
【００４６】
【図７】図５におけるＢ〜Ｂ線断面矢視図である。
【００４７】
【図８】筒状部の正面図である。
【００４８】
【図９】図８におけるＣ〜Ｃ線断面矢視図である。
【００４９】
【図１０】図８におけるＤ〜Ｄ線断面矢視図である。
【００５０】
【図１１】コンバージョンレンズの一部を破断した側面図である。
【００５１】
【図１２】レンズフード内にコンバージョンレンズを収納したときの入射光の絞り込みの状態を示す縦断面図である。
【００５２】
【図１３】コンバージョンレンズを使用しないときのレンズフードの組立てを示す分解斜視図である。
【００５３】
【図１４】コンバージョンレンズを使用しないときの筒状部の遮光板による入射光の絞り込みの動作を示す縦断面図である。
【符号の説明】
【００５４】
１‥‥ビデオカメラ、２‥‥本体、３‥‥撮像レンズ（光学系）、４‥‥アダプタ、５‥‥レンズフード、６‥‥コンバージョンレンズ、８‥‥蓋、９‥‥液晶表示パネル、１０‥‥プログラムＡＥボタン、１１‥‥シャッタスピードボタン、１２‥‥ホワイトバランスボタン、１３‥‥録音レベルボタン、１４‥‥蓋開放スイッチ、１５‥‥ゼロセットメモリボタン、１６‥‥セルフタイマボタン、１７‥‥ワンプッシュホワイトバランスボタン、１８‥‥ＤＶ端子、１９‥‥電源スイッチ、２０‥‥オートロックスイッチ、２１‥‥コントロールスイッチ、２２‥‥主蓋、２３‥‥副蓋、２４‥‥テープ走行操作部、２５‥‥把手、２６‥‥ステレオマイク、２７‥‥ホルダ、２８‥‥後部リモコン受光部、２９‥‥前部リモコン受光部、３５‥‥基部、３６‥‥筒状部、３７‥‥遮光板、３８‥‥矩形の開口、４１‥‥円形の開口、４２‥‥係止溝、４３‥‥導入部、４４‥‥固定片、４５‥‥固定用ねじ、４６‥‥突部、４７‥‥係止用壁部、５１‥‥係止爪、５２‥‥係止爪（遮光板側）、５５、筒体、５６〜５９‥‥レンズ、６０‥‥結合用ねじ、６２‥‥キャップ、６３‥‥係止片、６４‥‥係止溝、６５‥‥ストライプ、６９、７０‥‥点線
【図１】
2005121714.tif 000003
【図２】
2005121714.tif 000004
【図３】
2005121714.tif 000005
【図４】
2005121714.tif 000006
【図５】
2005121714.tif 000007
【図６】
2005121714.tif 000008
【図７】
2005121714.tif 000009
【図８】
2005121714.tif 000010
【図９】
2005121714.tif 000011
【図１０】
2005121714.tif 000012
【図１１】
2005121714.tif 000013
【図１２】
2005121714.tif 000014
【図１３】
2005121714.tif 000015
【図１４】
2005121714.tif 000016